(57)【要約】
【課題】　加圧ヘッドが接触片上を円滑に滑動し、組立てが容易な切換スイッチの提供。【解決手段】　座体１の上部にボタン２を軸着し、座体１の底部に送電線端子４，５を固定し、送電線端子４，５間に接触片３を設け、ボタン２の下面に、ボールホルダ２３と、その先端部内に回動自在に嵌合された金属製のボール２４とから成る加圧ヘッド、及びこれを接触片３に向けて付勢するバネ２２を設置し、ボタン２の揺動操作により、ボール２４が接触片３上を滑動し、接触片３が送電線端子５に接離して電気回路を開閉する。
【選択図】　　　　　図１
0003100501.tif 000002
【実用新案登録請求の範囲】
【請求項１】
　座体の上部にボタンを軸着し、前記座体の底部に一対の送電線端子を固定すると共に、これら送電線端子間に接触片を設け、前記ボタンの下面に中空柱を設け、該中空柱内に、前記接触片に当接する加圧ヘッド及び該加圧ヘッドを接触片に向けて付勢するバネを設置し、前記ボタンを揺動操作することにより、前記加圧ヘッドが接触片上を滑動し、該接触片が一方の送電線端子に接離して電気回路を開閉する切換スイッチにおいて、前記加圧ヘッドは、筒状又は柱状のボールホルダと、該ボールホルダの先端部内に回動自在に嵌合されて、前記接触片に当接する金属製のボールとから成ることを特徴とした切換スイッチ。
【考案の詳細な説明】
【技術分野】
【０００１】
　本考案は、電気回路の開閉を切り換える切換スイッチに関する。
【背景技術】
【０００２】
　各種電気製品には、電源の導通を制御するために切換スイッチが設置されており、この切換スイッチを切換操作することにより電源回路を開閉するようになっている。
　一般的な切換スイッチは、図７に示すように、座体Ａの上部にボタンＢを軸着し、座体Ａの底部に送電線導電片Ｄ，Ｅを固定してある。座体Ａの底部中央の固定された導電片Ｄには、接触片Ｃの中央部両側に形成された切欠Ｃ１が係合され、導電片Ｄと接触片Ｃとが電気的に接続されている。
　ボタンＢの下面中央部には中空柱Ｂ１を形成し、中空柱Ｂ１内にバネＢ２を収納し、中空柱Ｂ１の先端には、接触片Ｃに接触する中空の加圧ヘッドＢ３を摺動可能に設置してある。また、バネＢ２が加圧ヘッドＢ３内に挿入されて、該加圧ヘッドＢ３を接触片Ｃに向けて押圧している。
【０００３】
　ボタンＢ内に通電状態であることを示すランプＦを設置した場合は、ランプＦと、バネＢ２及び加圧ヘッドＢ３を接続して送電経路を構成する。また、座体Ａの底部にアース導電片Ｈを固定し、ボタンＢの底部にアース導電片Ｇと接触するバネＧを設け、このバネをランプＦに接続してアース経路を構成する。
　そして、ボタンＢの両端寄りを押圧操作してボタンＢを揺動させ、これにより中空柱Ｂ１を回動させて、その先端に設置された加圧ヘッドＢ３をバネＢ２で押圧しながら接触片Ｃに対して滑動させる。
【０００４】
　加圧ヘッドＢ３が接触片Ｃの先端寄りを押圧すると、接触片Ｃの先端部下面に設けられた接触突起Ｃ２が導電片Ｅに接触して、切換スイッチが閉じると共に、ランプＦが点灯して通電状態にあることを示す。
　さらに、加圧ヘッドＢ３の先端部が接触片Ｃに対して、接触状態を維持したまま滑らかに移動するように、多くの場合は、加圧ヘッドＢ３の先端部表面にグリースＩを塗布してある。
【０００５】
　しかし、上記従来の切換スイッチでは、加圧ヘッドＢ３の先端が直接接触片Ｃに押し付けられて滑動するので、加圧ヘッドＢ３に加わる抵抗が大きく、加圧ヘッドＢ３の半球状の先端部が摩耗しやすい。
　また、中空柱Ｂ１の先端から加圧ヘッドＢ３が突出する隅部にグリースＩが溜まりやすく、加圧ヘッドＢ３の先端表面にグリースＩを留めておけないので、長期間に亘って潤滑効果を維持することができない。さらに、スイッチを閉じたときに、加圧ヘッドＢ３及び接触片Ｃの温度が上昇して、グリースＩが溶融し流失されてしまうため、潤滑効果が失われる虞もある。
　これは、図８に示すように、中実の加圧ヘッドＢ４を用いた場合にも、同じ様な問題が生ずる。
【０００６】
　また、図９に示すように、中空柱Ｂ１の先端に、金属製のボールＢ５より成る加圧ヘッドを嵌め込み、ボールＢ５の突出した表面にグリースを塗布した切換スイッチも知られている。
　しかし、このものは、ボールＢ５が接触すると簡単に中空柱Ｂ１から脱落してしまうだけでなく、バネＢ２を圧縮しながらボールＢ５を中空柱Ｂ１へ押し込む工程においても、バネＢ２に押されて脱出しやすいので、組立が面倒で作業に時間がかかる。
【考案の開示】
【考案が解決しようとする課題】
【０００７】
　本考案が解決しようとする課題は、加圧ヘッドが接触片上を円滑に滑動することができ、容易に組み立てることが可能な切換スイッチを提供することにある。
【課題を解決するための手段】
【０００８】
　本考案の切換スイッチは、座体の上部にボタンを軸着し、前記座体の底部に一対の送電線端子を固定すると共に、これら送電線端子間に接触片を設け、前記ボタンの下面に中空柱を設け、該中空柱内に、前記接触片に当接する加圧ヘッド及び該加圧ヘッドを接触片に向けて付勢するバネを設置し、前記ボタンを揺動操作することにより、前記加圧ヘッドが接触片上を滑動し、該接触片が一方の送電線端子に接離して電気回路を開閉するものであって、前記加圧ヘッドは、筒状又は柱状のボールホルダと、該ボールホルダの先端部内に回動自在に嵌合されて、前記接触片に当接する金属製のボールとから成る。
【考案の効果】
【０００９】
　本考案によれば、ボールホルダの先端部に嵌合したボールが、回動しながら接触片上を円滑に滑動するので、切換操作をスムーズに行えると共に、加圧ヘッドの摩耗を最小限に抑えることができ、また、ボールはボールホルダに支持されて脱出し難いので、組立が容易である。
【考案を実施するための最良の形態】
【００１０】
　以下、本考案の実施例を図面に基づいて詳細に説明する。
【実施例１】
【００１１】
　図１乃至図３は、本考案の実施例１を示す。
　図１に示すように、本考案に係る切換スイッチの基本的構造は従来のものとほぼ同様であり、上面が開口した略箱形の座体１と、中央部が座体１の上部に軸着されたボタン２と、座体１内部において、ボタン２の下方に設置された接触片３と、座体１の底部に固定された送電線端子４，５及びアース端子８と、ボタン２の内部に設置され、ボタン２を透過して発光するランプ７とを備える。
【００１２】
　図２及び図３に示すように、座体１の底部中央には送電線端子４が、底部一側には送電線端子５が、底部多側にはアース端子８がそれぞれ固定される。
　接触片３は下方に凸に湾曲しており、その一端部下面に接触突起３２が設けられる。また、接触片３の中央部両側に切欠３１が形成され、切欠３１を送電線端子４と係合することにより、接触片３と送電線端子４とが接続されている。
　さらに、ボタン２の下面他端部とアース端子８との間にはバネ６が介在され、バネ６の上端がランプ７に接続されると共に、バネ６の下端がアース端子８に接続されている。
【００１３】
　ボタン２の下面中央部には中空柱２１が下方に向けて設けられ、この中空柱２１内に、接触片３に当接する加圧ヘッド及び該加圧ヘッドを接触片３に向けて付勢するバネ２２が収納される。
　加圧ヘッドは、両端が開口した筒形のボールホルダ２３と、ボールホルダ２３の先端部内に回動可能に嵌合された金属製のボール２４とから成る。
　ボールホルダ２３は中空柱２１に摺動可能に嵌合され、ボールホルダ２３の内部に挿入されたバネ２２の下部がボール２４に接続されている。
【００１４】
　ボールホルダ２３の下端部は、先端の径が細くなるように狭窄しており、ボール２４の下部がボールホルダ２３の下端の開口部２３１から突出するが、ボール２４がボールホルダ２３から脱出することはない。
　そして、ボールホルダ２３の開口部２３１から突出したボール２４が、バネ２２に押されて接触片３に圧接され、ボタン２の揺動に伴って接触片３上を滑動する。
　また、ボールホルダ２３の内部にはグリースが充填され、開口部２３１とボール２４との隙間からにじみ出て、ボール２４の滑動を円滑にしている。
【００１５】
　図３に示すように、ボタン２を押して揺動させると、中空柱２１が回動し、中空柱２１の先端と接触片３との距離の変化に対応して、加圧ヘッドのボールホルダ２３が中空柱２１内を摺動し、その先端に突出したボール２４が、接触片３に対してバネ２２により押圧されながら、回転しつつ滑動する。
　そして、加圧ヘッドのボール２４が接触片３の他端寄りを押圧すると、接触片３の接触突起３２が送電線端子５から離れる。
　この切換スイッチでは、ボール２４がボールホルダ２３に支持された状態で中空柱２１内に設置されるので、ボタン２を座体１へ組み込む際に、脱出する心配がない。
【実施例２】
【００１６】
　図４は、実施例２を示す。
　ボールホルダ２３の開口部２３１よりもやや上方に、中心方向へ陥没した環状支持溝２３２が形成される。環状支持溝２３２を形成した部分の内径は、ボール２４の直径よりもやや小さく形成されており、これにより、ボール２４が開口部２３１と環状支持溝２３２で位置決めされて、この位置で回動するようになっている。
　また、バネ２２の下端は環状支持溝２３２に当接し、ボール２４に接触していないので、ボール２４はいっそうスムーズに回転する。
　その他の構成は、実施例１とほぼ同様なので、同一部分に同一符号を付して説明を省略する。
【実施例３】
【００１７】
　図５は、実施例３を示す。
　ボールホルダ２５は、中実の柱状とし、その先端面にボール係合穴２５１を形成する。
　ボール係合穴２５１の内周面は略球状であって、ボール２４の半径よりもやや大きい深さを有し、ボール２４をボール係合穴２５１に無理嵌めして嵌合すると、ボール２４はその位置で位置決めされて回動するようになっている。
　また、バネ２２はボールホルダ２３の上面に当接している。
　その他の構成は、実施例１及び実施例２とほぼ同様である。
【実施例４】
【００１８】
　図６は、実施例４を示す。
　中実柱状のボールホルダ２５の中心軸に沿って、ボール係合穴２５１に達する潤滑剤通路２５２を形成し、潤滑剤通路２５２にグリースを注入してある。グリースは潤滑剤通路２５２からボール係合穴２５１ににじみ出て、ボール２４の回転が円滑となる。
　その他の構成は、実施例３とほぼ同様である。
　なお、実施例１乃至実施例４において、ランプ７は設置しなくても良い。この場合、当然、バネ６及びアース端子８は除去する。
【図面の簡単な説明】
【００１９】
【図１】実施例１を示す切換スイッチの分解斜視図。
【図２】実施例１を示す切換スイッチの閉成状態の断面図。
【図３】実施例１を示す切換スイッチの動作時の断面図。
【図４】実施例２を示す切換スイッチの断面図。
【図５】実施例３を示す切換スイッチの断面図。
【図６】実施例４を示す切換スイッチの断面図。
【図７】第１の従来例を示す切換スイッチの分解斜視図。
【図８】第２の従来例を示す切換スイッチの分解斜視図。
【図９】第３の従来例を示す切換スイッチの分解斜視図。
【符号の説明】
【００２０】
　１　座体
　２　ボタン
　２１　中空柱
　２２　バネ
　２３　ボールホルダ
　２３１　開口部
　２３２　環状支持溝
　２４　ボール
　２５　ボールホルダ
　２５１　ボール係合穴
　２５２　潤滑剤通路
　３　接触片
　３１　切欠
　３２　接触突起
　４　送電線端子
　５　送電線端子
　６　バネ
　７　ランプ
　８　アース端子
【図１】
0003100501.tif 000003
【図２】
0003100501.tif 000004
【図３】
0003100501.tif 000005
【図４】
0003100501.tif 000006
【図５】
0003100501.tif 000007
【図６】
0003100501.tif 000008
【図７】
0003100501.tif 000009
【図８】
0003100501.tif 000010
【図９】
0003100501.tif 000011